(57)【特許請求の範囲】
【請求項１】
データ伝送速度に所定の上限がある伝送インタフェースを通じて外部にあるデジタルビデオ表示装置に１フレームの全体画像の一部の矩形領域のデジタルビデオ出力信号を出力するデジタルビデオ信号出力装置であって、
デジタルビデオ信号の１フレームの全体画像とその１フレーム前の全体画像との間で差分が生じた領域を含む前記矩形領域の画像を切り出し画像として検出し、少なくとも前記全体画像中の前記矩形領域の位置を特定する切り出し領域情報を出力する差分検出部と、
前記デジタルビデオ表示装置が表示可能である、少なくとも１つの前記切り出し画像のビデオフォーマットを記述した表示能力データを、前記デジタルビデオ表示装置から取得する表示能力取得部と、
ビデオデータ期間に前記表示能力取得部で取得するビデオフォーマットに基づいてエンコードされた前記切り出し画像のデータを送信し、前記矩形領域の前記デジタルビデオ信号のブランキング期間に前記ビデオフォーマットに基づいてエンコードされた前記切り出し領域情報を重畳して送信することによって、前記デジタルビデオ出力信号を出力する送信部と、を具備し、
前記差分検出部は、サイズの同じ複数の切り出し画像を検出し、
前記送信部は、複数の前記切り出し画像に対する前記切り出し画像を表示するタイミングを表す情報である待ちフレーム情報を前記ブランキング期間に送信するデジタルビデオ信号出力装置。
【請求項２】
データ伝送速度に所定の上限がある伝送インタフェースを通じて入力された１フレームの全体画像の一部の矩形領域のデジタルビデオ入力信号に基づき、ビデオ映像を表示するデジタルビデオ表示装置であって、
デジタルビデオ信号の１フレームの全体画像とその１フレーム前の全体画像との間で差分が生じた領域を含む前記矩形領域の画像である切り出し画像のデータが前記矩形領域ごとのビデオデータ期間に送信されたデジタルビデオ入力信号を受信し、受信した前記矩形領域ごとのデジタルビデオ入力信号から前記切り出し画像のデータを取得し、前記矩形領域ごとの前記デジタルビデオ入力信号のブランキング期間に送信された少なくとも前記全体画像中の前記矩形領域の位置を特定する切り出し領域情報を取得する受信部と、
前記切り出し画像のデータと前記切り出し領域情報に基づいて１フレームの全体画像を復元し、表示用ビデオ信号を生成する画像復元部と、
前記表示用ビデオ信号に基づき、映像を表示する表示部と、
前記表示部が表示可能である、少なくとも１つの前記切り出し画像のビデオフォーマットを記述した表示能力データを出力する表示能力送信部と、を具備し、
記受信部は、前記矩形領域のサイズが同じ複数の切り出し画像と複数の前記切り出し画像に対する前記切り出し画像を表示するタイミングを表す情報である待ちフレーム情報を受信する、デジタルビデオ表示装置。
【請求項３】
データ伝送速度に所定の上限がある伝送インタフェースを通じて外部にあるデジタルビデオ表示装置に１フレームの全体画像の一部の矩形領域のデジタルビデオ出力信号を出力するデジタルビデオ信号送信方法であって、
デジタルビデオ信号の１フレームの全体画像とその１フレーム前の全体画像との間で差分が生じた領域を含む前記矩形領域の画像を切り出し画像として検出し、少なくとも前記全体画像中の前記矩形領域の位置を特定する切り出し領域情報を出力する検出ステップと、
前記デジタルビデオ表示装置が表示可能である、少なくとも１つの前記切り出し画像のビデオフォーマットを記述した表示能力データを、前記デジタルビデオ表示装置から取得する表示能力取得ステップと、
ビデオデータ期間に前記表示能力取得ステップで取得するビデオフォーマットに基づいてエンコードされた前記切り出し画像のデータを送信し、複数の前記矩形領域の前記デジタルビデオ信号のブランキング期間に前記ビデオフォーマットに基づいてエンコードされた前記切り出し領域情報を重畳して送信することによって、前記デジタルビデオ出力信号を出力する送信ステップと、
を含む、デジタルビデオ信号送信方法。
【発明の詳細な説明】
【技術分野】
【０００１】
本発明は、デジタルビデオ信号を送出するデジタルビデオ信号出力装置及び表示装置に関するものである。
【背景技術】
【０００２】
従来、デジタルビデオ信号の伝送方式としては、例えば、非特許文献１に記載されているＨＤＭＩ伝送方式がある。図２６は非特許文献１に記載された従来の伝送方式を示している。図２６の出力装置７００において、表示能力取得部７０１は、表示装置９００の表示能力送信部９０１から表示装置の表示能力を示すＥＤＩＤ（Ｅｘｔｅｎｄｅｄ  Ｄｉｓｐｌａｙ  Ｉｄｅｎｔｉｆｉｃａｔｉｏｎ  Ｄａｔａ）を受信する。このＥＤＩＤは、表示装置９００が表示することができる２次元映像のビデオフォーマットを特定するＶＩＣ（Ｖｉｄｅｏ  Ｉｄｅｎｔｉｆｉｃａｔｉｏｎ  Ｃｏｄｅ）などを記述している（詳細は非特許文献２参照）。このビデオフォーマットは、画面解像度（水平及び垂直画素数）、フィールドレート、画面のアスペクト比、画素のアスペクト比等を規定している。ビデオ信号生成部７０２は、デジタルビデオ信号を生成する。パケット生成部７０３は、該デジタルビデオ信号のＶＩＣを含むＡＶＩ  ＩｎｆｏＦｒａｍｅパケット等を生成する。ＨＤＭＩ送信部７０４は、ＨＤＭＩ規格に基づき、ビデオ信号生成部７０２から得たデジタルビデオ信号を、ビデオデータ期間に伝送ケーブル８００を介して表示装置９００へ送信する。さらに、ＨＤＭＩ送信部７０４は、ＨＤＭＩ規格に基づき、パケット生成部７０３から得たＡＶＩ  ＩｎｆｏＦｒａｍｅパケット等を、ブランキング期間に表示装置９００へ送信する。
【０００３】
そして、表示装置９００において、ＨＤＭＩ受信部９０２は、出力装置７００が送信した信号を受信し、受信した信号からデジタルビデオ信号とＡＶＩ  ＩｎｆｏＦｒａｍｅパケットとを取得する。そして、ＨＤＭＩ受信部９０２は、デジタルビデオ信号を記憶部９０４に、ＡＶＩ  ＩｎｆｏＦｒａｍｅパケットをパケット解析部９０３に出力する。パケット解析部９０３は、ＨＤＭＩ受信部９０２から出力されたＡＶＩ  ＩｎｆｏＦｒａｍｅパケットを解析し、該デジタルビデオ信号に対応するビデオフォーマットを求める。記憶部９０４は、ＨＤＭＩ受信部９０２から出力されたビデオ信号を一時記憶する。表示部９０５は、パケット解析部９０３が解析したビデオフォーマットを用いて、記憶部９０４に記憶されたビデオ信号から映像を表示する。
【先行技術文献】
【特許文献】
【０００４】
【非特許文献１】Ｈｉｇｈ−Ｄｅｆｉｎｉｔｉｏｎ  Ｍｕｌｔｉｍｅｄｉａ  Ｉｎｔｅｒｆａｃｅ  Ｓｐｅｃｉｆｉｃａｔｉｏｎ  Ｖｅｒｓｉｏｎ  １．３ａ（Ｎｏｖ  ８  ２００６，  ＨＤＭＩ  Ｌｉｃｅｎｓｉｎｇ，  ＬＬＣ）
【非特許文献２】ＣＥＡ−８６１−Ｄ（Ｊｕｌ  ２００６，  Ｃｏｎｓｕｍｅｒ  Ｅｌｅｃｔｒｏｎｉｃｓ  Ａｓｓｏｃｉａｔｉｏｎ）
【発明の概要】
【発明が解決しようとする課題】
【０００５】
近年、３次元映像を表示する３Ｄテレビが多く発表されてきている。しかしながら、従来のＨＤＭＩ規格に準じて、３次元映像を送信するには、Ｓｉｄｅ−ｂｙ−Ｓｉｄｅなど左右画像のフォーマットを特定する３Ｄフォーマットとそれに対応するビデオフォーマットを記述する必要がある。しかし、現在のＨＤＭＩ規格のＥＤＩＤやＡＶＩ  ＩｎｆｏＦｒａｍｅにはこのような記述を行うことができない。
【０００６】
また、従来の発明は、非常に多くの水平及び垂直の画素数を持つような表示装置への表示のためには、出力装置が表示装置と同じ水平および垂直画素数をもつデジタルビデオ信号を出力する必要がある。そうすると、表示装置の画素数の増加に伴って送出すべきデータレートが上がってしまう。このとき、伝送ケーブルが伝送できるデータレートの上限を超えてしまうと、映像信号を伝送できなくなる場合が生じる。
【０００７】
本発明は、ＥＤＩＤやＩｎｆｏＦｒａｍｅの送受信において、これらの３Ｄテレビや、高解像度テレビでも対応しなければならない旧来のＶＩＣ等の送受信もサポートしつつも、３Ｄテレビや、高解像度テレビで伝送しなければならない情報を、ＥＤＩＤやＩｎｆｏＦｒａｍｅの容量制限内で伝送できるようにすることによって、ＨＤＭＩによって、多様な表示形態、特に、３次元画像や高解像度ビデオ映像に対応した柔軟なビデオ信号の伝送を実現するデジタルビデオ信号出力装置、及びデジタル信号受信装置を提供することを目的とする。
【０００８】
また、本発明は、ＨＤＭＩによるデジタルビデオ信号の出力によって、非常に多くの水平及び垂直の画素数を持つような表示装置への表示を実現するデジタルビデオ信号出力装置、及びデジタル信号受信装置を提供することを目的とする。
【課題を解決するための手段】
【０００９】
前述した目的を達成するために、本発明は、以下の特徴を有する。本発明は、データ伝送速度に所定の上限がある伝送インタフェースを通じて外部にあるデジタルビデオ表示装置にデジタルビデオ出力信号を出力するデジタルビデオ信号出力装置であって、デジタルビデオ信号の１フレームの全体画像の一部の矩形領域であって、デジタルビデオ信号の１フレームの全体画像とその１フレーム前の全体画像との間で差分が生じた領域を含む当該矩形領域の画像を切り出し画像として検出し、少なくとも全体画像中の当該矩形領域の位置を特定する切り出し領域情報を出力する差分検出部と、ビデオデータ期間に当該切り出し画像のデータを送信し、ブランキング期間に当該切り出し領域情報を送信することによって、デジタルビデオ出力信号を出力する送信部と、を具備する。
【００１０】
また、本発明は、３次元映像を表示するデジタルビデオ表示装置に対し、デジタルビデオ出力信号を出力するデジタルビデオ信号出力装置に関するものであり、当該出力装置は、デジタルビデオ表示装置が表示可能な少なくとも１つの３Ｄフォーマットと、少なくとも１つの３Ｄフォーマットのそれぞれに対応する少なくとも１つのビデオフォーマットとを記述した表示能力データを、デジタルビデオ表示装置から取得する表示能力取得部と、表示能力取得部が取得した少なくとも１つの３Ｄフォーマットのうち、１つの３Ｄフォーマットを選択し、選択された３Ｄフォーマットに対応する少なくとも１つのビデオフォーマットのうち、１つのビデオフォーマットを選択し、ビデオデータ期間に、選択された３Ｄフォーマットと選択されたビデオフォーマットとに基づき構成された３次元映像のビデオデータを送信し、ブランキング期間に、選択された３Ｄフォーマットを特定する構造情報と選択されたビデオフォーマットを特定するフォーマット情報とを送信することによって、デジタルビデオ出力信号を送信する送信部と、を具備する。
【００１１】
また、本発明は、データ伝送速度に所定の上限がある伝送インタフェースを通じて入力されたデジタルビデオ入力信号に基づき、ビデオ映像を表示するデジタルビデオ表示装置であって、デジタルビデオ信号の１フレームの全体画像の一部の矩形領域であって、デジタルビデオ信号の１フレームの全体画像とその１フレーム前の全体画像との間で差分が生じた領域を含む当該矩形領域の画像である切り出し画像のデータがビデオデータ期間に送信されたデジタルビデオ入力信号を受信し、受信した信号から切り出し画像のデータを取得し、当該デジタルビデオ入力信号のブランキング期間に送信された少なくとも全体画像中の当該矩形領域の位置を特定する切り出し領域情報を取得する受信部と、切り出し画像のデータと切り出し領域情報に基づいて１フレームの全体画像を復元し、表示用ビデオ信号を生成する画像復元部と、表示用ビデオ信号に基づき、映像を表示する表示部と、を具備する。
【００１２】
また、本発明は、デジタルビデオ信号出力装置からデジタルビデオ入力信号を受信し、受信した信号をもとに３次元映像を表示するデジタルビデオ信号装置に関するものであり、当該デジタルビデオ表示装置は、デジタルビデオ表示装置が表示可能な少なくとも１つの３Ｄフォーマットと、少なくとも１つの３Ｄフォーマットのそれぞれに対応する少なくとも１つのビデオフォーマットとを記述した表示能力データを、デジタルビデオ信号出力装置の表示能力取得部からのリクエストに従い、デジタルビデオ信号出力装置に送信する表示能力送信部と、デジタルビデオ入力信号を受信し、受信した信号からビデオデータと、少なくとも１つの３Ｄフォーマットのうちの１つの３Ｄフォーマットが指定された構造情報と３Ｄフォーマットに対応するビデオフォーマットを指定するフォーマット情報とを取得する受信部と、ビデオデータから、受信部により取得された構造情報とフォーマット情報とに基づいて表示用ビデオ信号を生成する画像復元部と、表示用ビデオ信号に基づき、映像を表示する表示部と、を具備する。
【００１３】
また、本発明は、データ伝送速度に所定の上限がある伝送インタフェースを通じて外部にあるデジタルビデオ表示装置にデジタルビデオ出力信号を出力するデジタルビデオ信号送信方法であって、デジタルビデオ信号の１フレームの全体画像の一部の矩形領域であって、デジタルビデオ信号の１フレームの全体画像とその１フレーム前の全体画像との間で差分が生じた領域を含む当該矩形領域の画像を切り出し画像として検出し、少なくとも全体画像中の当該矩形領域の位置を特定する切り出し領域情報を出力する検出ステップと、ビデオデータ期間に切り出し画像のデータを送信し、ブランキング期間に切り出し領域情報を送信することによって、デジタルビデオ出力信号を出力する送信ステップと、を含む。
【００１４】
また、本発明は、３次元映像を表示するデジタルビデオ表示装置に対し、デジタルビデオ出力信号を出力するデジタルビデオ信号送信方法に関するものであり、当該送信方法は、デジタルビデオ表示装置が表示可能な少なくとも１つの３Ｄフォーマットと、少なくとも１つの３Ｄフォーマットそれぞれに対応する少なくとも１つのビデオフォーマットとを記述した表示能力データを、デジタルビデオ表示装置から取得する取得ステップと、取得された少なくとも１つの３Ｄフォーマットのうち、１つの３Ｄフォーマットを選択し、選択された３Ｄフォーマットに対応する少なくとも１つのビデオフォーマットのうち、１つのビデオフォーマットを選択し、ビデオデータ期間に、選択された３Ｄフォーマットと選択されたビデオフォーマットとに基づき構成された３次元映像のビデオデータを送信し、ブランキング期間に、選択された３Ｄフォーマットを指定する構造情報と前記選択されたビデオフォーマットを指定するフォーマット情報とを送信することによって、デジタルビデオ出力信号を送信する送信ステップと、を含む。
【００１５】
また、本発明は、データ伝送速度に所定の上限がある伝送インタフェースを通じて入力されたデジタルビデオ入力信号に基づき、ビデオ映像を表示するデジタルビデオ信号受信方法であって、デジタルビデオ信号の１フレームの全体画像の一部の矩形領域であって、デジタルビデオ信号の１フレームの全体画像とその１フレーム前の全体画像との間で差分が生じた領域を含む当該矩形領域の画像である切り出し画像のデータがビデオデータ期間に送信されたデジタルビデオ入力信号を受信し、受信した信号から切り出し画像のデータを取得し、当該デジタルビデオ入力信号のブランキング期間に送信された、少なくとも全体画像中の当該矩形領域の位置を特定する切り出し領域情報を取得する受信ステップと、切り出し画像のデータと切り出し領域情報に基づいて１フレームの全体画像を復元し、表示用ビデオ信号を生成する画像復元ステップと、を含む。
【００１６】
また、本発明は、３次元映像を表示するデジタルビデオ表示装置がデジタルビデオ信号出力装置からデジタルビデオ入力信号を受信するデジタルビデオ信号受信方法に関するものであり、当該受信方法は、デジタルビデオ表示装置が表示可能な少なくとも１つの３Ｄフォーマットと、少なくとも１つの３Ｄフォーマットそれぞれに対応する少なくとも１つのビデオフォーマットとを記述した表示能力データを、デジタルビデオ信号出力装置に送信する送信ステップと、デジタルビデオ入力信号を受信し、受信した信号からビデオデータと、少なくとも１つの３Ｄフォーマットのうちの１つの３Ｄフォーマットが指定された構造情報とビデオデータに対応するビデオフォーマットを指定するフォーマット情報とを取得する受信ステップと、ビデオデータから、受信ステップにより取得された構造情報とフォーマット情報とに基づいて表示用ビデオ信号を生成する画像復元ステップと、を含む。
【発明の効果】
【００１７】
本発明は、表示装置が非常に多くの水平及び垂直の画素数を持つような高精細の表示部を有する場合であっても、出力装置が送信装置から１フレーム前のビデオ信号と現在のフレームのビデオ信号との差分を送信すればよい。これにより、伝送ケーブル上で伝送されるデータレートを上げることなく高解像度の表示部への信号伝送を可能にする。したがって、本発明は、高解像度ビデオ映像に係る信号伝送を、伝送ケーブルのデータ伝送レートの上限を超えない伝送レートで実現することができる。
【図面の簡単な説明】
【００１８】
【図１】図１は、本発明の第１の実施形態における出力装置のブロック図である。
【図２Ａ】図２Ａは、本発明の第１の実施形態の動作を説明するための全体画像の例である。
【図２Ｂ】図２Ｂは、本発明の第１の実施形態の動作を説明するための切り出し画像の例である。
【図３】図３は、本発明の第１の実施形態における表示装置が出力装置へ送信するＥＤＩＤのＨＤＭＩベンダー用拡張部分に係るデータフォーマットを示す。
【図４】図４は、ＨＤＭＩ送信部が送信するＨＤＭＩ信号の例である。
【図５】図５は、本発明の第１の実施形態における特定ＩｎｆｏＦｒａｍｅパケットのデータフォーマットを示す。
【図６】図６は、本発明の第１の実施形態における出力装置の動作の流れを示したフローチャートである。
【図７】図７は、本発明の第１の実施形態における表示装置のブロック図である。
【図８】図８は、本発明の第１の実施形態における表示装置の動作の流れを示したフローチャートである。
【図９】図９は、本発明の切り出し画像の切り出し位置を特定する一例を示す。
【図１０】図１０は、本発明の第２の実施形態における出力装置のブロック図である。
【図１１Ａ】図１１Ａは、本発明の第２の実施形態の動作を説明するための全体画像の例である。
【図１１Ｂ】図１１Ｂは、本発明の第２の実施形態の動作を説明するための切り出し画像の例である。
【図１２】図１２は、本発明の第２の実施形態における特定ＩｎｆｏＦｒａｍｅパケットのデータフォーマットを示す。
【図１３】図１３は、本発明の第２の実施形態における出力装置の動作の流れを示したフローチャートである。
【図１４】図１４は、本発明の第２の実施形態における表示装置のブロック図である。
【図１５】図１５は、本発明の第１の実施形態における表示装置の動作の流れを示したフローチャートである。
【図１６】図１６は、本発明の第３の実施形態における出力装置のブロック図である。
【図１７】図１７は、本発明の第３の実施形態における３次元ビデオ信号の一例を説明するための図である。
【図１８】図１８は、本発明の第３の実施形態における３次元ビデオ信号の一例を説明するための図である。
【図１９】図１９は、本発明の第３の実施形態における３次元ビデオ信号の一例を説明するための図である。
【図２０】図２０は、本発明の第３の実施形態における３次元ビデオ信号の一例を説明するための図である。
【図２１】図２１は、本発明の第３の実施形態における表示装置が出力装置へ送信するＥＤＩＤのＨＤＭＩベンダー用拡張部分に係るデータフォーマットを示す。
【図２２】図２２は、本発明の第３の実施形態における特定ＩｎｆｏＦｒａｍｅパケットのデータフォーマットを示す。
【図２３】図２３は、本発明の第３の実施形態における出力装置の動作の流れを示したフローチャートである。
【図２４】図２４は、本発明の第３の実施形態における表示装置のブロック図である。
【図２５】図２５は、本発明の第３の実施形態における表示装置の動作の流れを示したフローチャートである。
【図２６】図２６は、従来の出力装置および表示装置のブロック図である。
【発明を実施するための形態】
【００１９】
（第１の実施形態）
以下に、本発明の第１の実施形態について、図面を参照しながら説明する。図１は、本発明の第１の実施形態における出力装置（ＨＤＭＩ  ｖｅｒ．１．３ａ規格では、ＳＯＵＲＣＥに相当）の構成をあらわすブロック図である。図１を参照すると、出力装置１００は、表示能力取得部１０１と、ビデオ信号生成部１０２と、差分検出部１０３と、パケット生成部１０４と、ＨＤＭＩ送信部１０５により構成されている。
【００２０】
表示能力取得部１０１は、図７において後述する表示装置２００からＥＤＩＤを取得する。このＥＤＩＤは、表示装置２００がサポートするビデオフォーマット（解像度、フィールドレート、画像、画素のアスペクト比等）以外に、表示装置２００の機能や特性が記述されている。このＥＤＩＤの詳細は図３にて後述する。
【００２１】
ビデオ信号生成部１０２は、例えば、図２Ａに示すような水平画素数Ｗおよび垂直画素数Ｈである全体画像のビデオ信号１５０を生成し、差分検出部１０３へ出力する。
【００２２】
差分検出部１０３は、ビデオ信号１５０中の１フレーム前の全体画像と、現在のフレームの全体画像との差分を検出する。つぎに、差分検出部１０３は、差分がある部分を含む領域を切り出し画像１５１として切り出す。それから、差分検出部１０３は、切り出し画像１５１をＨＤＭＩ送信部１０５へ出力する。例えば、差分検出部１０３は、図２Ａのようにビデオ信号１５０の左上から数えて、水平方向にｘ画素、垂直方向にｙ画素進んだ場所を左上隅として、図２Ｂのように水平サイズＡ画素、垂直サイズＢ画素分の領域を、切り出し画像１５１として切り出すものとする。そして、差分検出部１０３は、切り出し画像１５１のｘ、ｙ、Ａ、Ｂの値を、切り出し領域情報１６０としてパケット生成部１０４に出力する。
【００２３】
パケット生成部１０４は、切り出し領域情報１６０を、ＨＤＭＩ信号の帰線期間（Ｂｌａｎｋｉｎｇ  Ｐｅｒｉｏｄ）中に伝送されるＩｎｆｏＦｒａｍｅパケット１７０に変換して、ＨＤＭＩ送信部１０５へ出力する。ＩｎｆｏＦｒａｍｅパケット１７０は、前述したＡＶＩ  ＩｎｆｏＦｒａｍｅに加えて、別のＩｎｆｏＦｒａｍｅパケット（以降の説明では、特定ＩｎｆｏＦｒａｍｅパケットと呼ぶ）を含むものであって、詳細については図５にて後述する。
【００２４】
ＨＤＭＩ送信部１０５は、差分検出部１０３からの切り出し画像１５１と、パケット生成部１０４からのＩｎｆｏＦｒａｍｅパケット１７０とから、ＨＤＭＩ信号を生成する。そして、ＨＤＭＩ送信部１０５は、生成したＨＤＭＩ信号を、ＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌ：登録商標。以下、これらの記載を省略。ＴＭＤＳの詳細は、非特許文献１を参照のこと。）のチャンネルから送信する。ＨＤＭＩ送信部１０５が送信するＨＤＭＩ信号の詳細については図４にて後述する。
【００２５】
なお、ＨＤＭＩ送信部１０５は、表示能力取得部１０１が取得したＥＤＩＤが「表示装置２００が、当該ＨＤＭＩ信号を受信可能であり、かつ、当該ＨＤＭＩ信号に含まれる切り出し画像１５１をＩｎｆｏＦｒａｍｅパケット１７０の記述に基づいて表示できる場合（以下、説明の便宜上、このような場合を「マルチ画面モードをサポートする場合」と呼ぶこととし、当該映像の表示方法を「マルチ画面モード」と呼ぶこととする。）に限り、当該ＨＤＭＩ信号を表示装置２００に送信する。
【００２６】
図３は、本実施形態に係るＥＤＩＤのＨＤＭＩベンダー用拡張部分に係るデータフォーマットを示す。図３の最上行０…７は、各バイトのビット番号を表す。また、図３の最左列０…Ｎは、バイト番号を表す。図３における８バイト目のＨＤＭＩ＿Ｖｉｄｅｏ＿ｐｒｅｓｅｎｔを除き、１２バイト目までに格納する値は、ＨＤＭＩ  ｖｅｒ．１．３ａ規格に基づき定められた値であり、詳細な説明は非特許文献１にて開示されているため、本実施形態での説明は省略する。
【００２７】
ＨＤＭＩ＿Ｖｉｄｅｏ＿ｐｒｅｓｅｎｔは、図３の１３バイト目以降の拡張フィールドを使用するか否かが記述される１ビットの値である。本実施形態においては、ＨＤＭＩ＿Ｖｉｄｅｏ＿ｐｒｅｓｅｎｔは１となる。
【００２８】
図３の１３バイト目のＭｕｌｔｉ＿ｄｉｓｐｌａｙ＿ｐｒｅｓｅｎｔは、２ビットの値が格納される。この値が００、０１、１０、１１（いずれも２進数）である場合、以下の内容を示す。
００：表示装置２００は、マルチ画面モードをサポートしない
０１：表示装置２００は、後述するマルチ画面水平サイズ｛１５…０｝、マルチ画面垂直サイズ｛１５…０｝のフィールドが存在し、表示装置２００がＥＤＩＤのＶｉｄｅｏ  Ｄａｔａ  Ｂｌｏｃｋに記述した全てのビデオフォーマットにおいて利用可能である。後述するＭｕｌｔｉ＿Ｄｉｓｐｌａｙ＿ＭＡＳＫは使用されない。
１０：後述するマルチ画面水平サイズ｛１５…０｝、マルチ画面垂直サイズ｛１５…０｝のフィールドが存在し、かつ、Ｍｕｌｔｉ＿Ｄｉｓｐｌａｙ＿ＭＡＳＫによって示されたＶＩＣによって特定されるビデオフォーマットのみがサポートされる。
１１：予約
【００２９】
Ｍｕｌｔｉ＿Ｄｉｓｐｌａｙ＿Ｈｏｒｉｚｏｎｔａｌ＿Ｓｉｚｅ｛１５…０｝は、表示装置２００が持つ表示部２０６の水平画素数を２バイトの値で表したものである。この水平画素数は、図２Ａの水平方向の全画素数Ｗに相当する。
【００３０】
Ｍｕｌｔｉ＿Ｄｉｓｐｌａｙ＿Ｖｅｒｔｉｃａｌ＿Ｓｉｚｅ｛１５…０｝は、表示装置２００が持つ表示部２０６の垂直画素数を２バイトの値で表したものである。この水平画素数は、図２Ａの垂直方向の全画素数Ｈに相当する。
【００３１】
Ｍｕｌｔｉ＿Ｄｉｓｐｌａｙ＿ＭＡＳＫ＿ｉ（ｉは、０から１５までの整数）は、それぞれのビットの値が１であるとき、表示装置２２０は、ＥＤＩＤのＶｉｄｅｏ  Ｄａｔａ  Ｂｌｏｃｋでｉ番目に記述されたＶＩＣに対応するビデオフォーマットをサポートする。
【００３２】
ここで、Ｍｕｌｔｉ＿Ｄｉｓｐｌａｙ＿ＭＡＳＫ＿ｉによって特定されるビデオフォーマットは、水平画素数、垂直画素数の内容を含んでいる。図２ＢのＡが、Ｍｕｌｔｉ＿Ｄｉｓｐｌａｙ＿ＭＡＳＫ＿ｉによって特定されるビデオフォーマットの水平画素数である。図２ＢのＢが、Ｍｕｌｔｉ＿Ｄｉｓｐｌａｙ＿ＭＡＳＫ＿ｉによって特定されるビデオフォーマットの垂直画素数である。一方、表示装置２００の表示部２０６の水平画素数、垂直画素数は、Ｍｕｌｔｉ＿Ｄｉｓｐｌａｙ＿Ｈｏｒｉｚｏｎｔａｌ＿Ｓｉｚｅ｛１５…０｝及びＭｕｌｔｉ＿Ｄｉｓｐｌａｙ＿Ｖｅｒｔｉｃａｌ＿Ｓｉｚｅ｛１５…０｝で定義されたものである。例えば、Ｍｕｌｔｉ＿Ｄｉｓｐｌａｙ＿ＭＡＳＫ＿ｉによって特定されるＶＩＣに対応するビデオフォーマットが１９２０×１０８０ｐに対応するものであったとき、Ｍｕｌｔｉ＿Ｄｉｓｐｌａｙ＿Ｈｏｒｉｚｏｎｔａｌ＿Ｓｉｚｅ｛１５…０｝が２００００で、Ｍｕｌｔｉ＿Ｄｉｓｐｌａｙ＿Ｖｅｒｔｉｃａｌ＿Ｓｉｚｅ｛１５…０｝が１００００であれば、表示装置２００は、１９２０×１０８０ｐのＨＤＭＩ信号を受信するが、表示部２０６が出力する表示サイズは、Ｍｕｌｔｉ＿Ｄｉｓｐｌａｙ＿Ｈｏｒｉｚｏｎｔａｌ＿Ｓｉｚｅ｛１５…０｝及びＭｕｌｔｉ＿Ｄｉｓｐｌａｙ＿Ｖｅｒｔｉｃａｌ＿Ｓｉｚｅ｛１５…０｝で定義されたサイズとなる。
【００３３】
また、表示装置２００のＨＤＭＩ受信部２０２が対応できる水平画素数、垂直画素数が複数ある場合、Ｍｕｌｔｉ＿Ｄｉｓｐｌａｙ＿ＭＡＳＫ＿ｉを利用して対応可能なＶＩＣを複数個、表現してもよい。逆に、出力装置１００と表示装置２００の間で、特定の大きさの切り出し画像しか伝送されないことが予め分かっているとき、ＥＤＩＤの内容を出力装置１００は読まなくてよい。ただし、ＥＤＩＤの中に、表示部２０６の水平画素数Ｍｕｌｔｉ＿Ｄｉｓｐｌａｙ＿Ｈｏｒｉｚｏｎｔａｌ＿Ｓｉｚｅ｛１５…０｝とＭｕｌｔｉ＿Ｄｉｓｐｌａｙ＿Ｖｅｒｔｉｃａｌ＿Ｓｉｚｅ｛１５…０｝は必ず含まれている必要がある。
【００３４】
つぎに、ＨＤＭＩ送信部１０５が送信するＨＤＭＩ信号の例を図４に示す。図４中のビデオデータ期間では、表示装置がサポートするビデオフォーマットの中から選択された１つのビデオフォーマットに基づき、切り出し画像１５１をエンコードしたビデオデータの信号が送信される。このビデオ期間を定めるライン番号Ｊｓ、Ｊｅ及び画素番号Ｋｓ、Ｋｅは、ブランキング期間（水平ブランキング期間、垂直ブランキング期間の総称）に送信されるＡＶＩ  ＩｎｆｏＦｒａｍｅパケットに記述されており、それを参照することにより、表示装置はビデオデータを取得することができる。また、水平ブランキング期間、垂直ブランキング期間のいずれかにおいて、ＡＶＩ  ＩｎｆｏＦｒａｍｅパケットを含むＩｎｆｏＦｒａｍｅパケット１７０の信号が送信される。
【００３５】
図５は、本実施形態に係るＩｎｆｏＦｒａｍｅパケット１７０のうち、特定ＩｎｆｏＦｒａｍｅパケットのデータフォーマットを示す。図５の最上行０…７は、各バイトのビット番号を表す。また、図５の最左列０…Ｎは、バイト番号を表す。図５におけるＰＢ３までに格納する値は、ＨＤＭＩ  ｖｅｒ．１．３ａ規格に基づき定められた値であり、詳細は非特許文献１及び非特許文献２にて開示されているため、本実施形態での説明は省略する。
【００３６】
ＨＤＭＩ＿Ｖｉｄｅｏ＿Ｆｏｒｍａｔは、ビデオフォーマット以外のビデオデータ構造をサポートするか否かを規定する値であり、特定の値（２進数で０１１など）である場合、表示装置２００が「マルチ画面モードをサポートする」ことを示す。Ｒｅｓｅｒｖｅｄ（０）は、拡張用に予約されたビットを表し、０が記述される。
【００３７】
Ｘｐｏｓｉｔｉｏｎ｛１５…０｝は、図２Ａのｘを規定する２バイトの値である。Ｙｐｏｓｉｔｉｏｎ｛１５…０｝は、図２Ａのｙを規定する２バイトの値である。なお、図２ＢのＡ、Ｂの値は、ＡＶＩ  ＩｎｆｏＦｒａｍｅによって記述される水平画素数、垂直画素数によって定められる（詳細は、非特許文献２を参照）。なお、図２Ａの切り出し画像１５１は、上述した他に、領域の対角線上の２つの画素の座標（例えば、左上隅の画素の座標と右下隅の画素の座標）によって切り出し画像１５１の位置と大きさを特定してもよい。この場合、Ｘｐｏｓｉｔｉｏｎ｛１５…０｝、Ｙｐｏｓｉｔｉｏｎ｛１５…０｝はそれぞれの画素に対応するものが２つ存在する。
【００３８】
つぎに、本実施形態の出力装置１００の動作について説明する。図６は、出力装置１００の動作の流れを示したフローチャートである。まず、ビデオ信号生成部１０２は、ビデオ信号１５０を生成する（Ｓ１１０）。
【００３９】
つぎに、表示能力取得部１０１は、表示装置２００からＥＤＩＤを取得し、ＥＤＩＤのＨＤＭＩ＿Ｖｉｄｅｏ＿ｐｒｅｓｅｎｔ及びＭｕｌｔｉ＿ｄｉｓｐｌａｙ＿ｐｒｅｓｅｎｔを参照する。そして、表示能力取得部１０１は、表示装置２００がマルチ画面モードをサポートするか否かを判定する（Ｓ１２０）。具体的には、ＨＤＭＩ＿Ｖｉｄｅｏ＿ｐｒｅｓｅｎｔが１でかつ、Ｍｕｌｔｉ＿ｄｉｓｐｌａｙ＿ｐｒｅｓｅｎｔが０１か、１０（いずれも２進数）であれば、表示能力取得部１０１は、表示装置２００がマルチ画面モードをサポートする（Ｓ１２０でＹｅｓ）と判定する。そうでなければ、表示能力取得部１０１は、表示装置２００がマルチ画面モードをサポートしない（Ｓ１２０でＮｏ）と判定する。
【００４０】
表示装置がマルチ画面モードをサポートする場合（Ｓ１２０でＹｅｓ）、表示能力取得部１０１は、ＥＤＩＤのＭｕｌｔｉ＿Ｄｉｓｐｌａｙ＿Ｈｏｒｉｚｏｎｔａｌ＿Ｓｉｚｅ｛１５…０｝とＭｕｌｔｉ＿Ｄｉｓｐｌａｙ＿Ｖｅｒｔｉｃａｌ＿Ｓｉｚｅ｛１５…０｝を参照して、表示部２０６の水平画素数と垂直画素数を取得する。また、ＶＩＣ及び場合によりＭｕｌｔｉ＿Ｄｉｓｐｌａｙ＿ＭＡＳＫ＿ｉの値も併用して、切り出し画像の水平画素数Ａ、垂直画素数Ｂを取得する（Ｓ１３０）。
【００４１】
つぎに、差分検出部１０３は、ビデオ信号１５０のフレーム間差分領域を検出し、当該差分領域を含む切り出し画像１５１を生成する。この切り出し画像１５１の水平画素数、垂直画素数は、Ｓ１３０において取得されたＡ、Ｂである。さらに、差分検出部１０３は、切り出し画像１５１と切り出し領域情報１６０をそれぞれＨＤＭＩ送信部１０５、パケット生成部１０４に出力する（Ｓ１４０）。
【００４２】
つぎに、表示能力取得部１０１は、ＥＤＩＤを参照し、Ｍｕｌｔｉ＿ｄｉｓｐｌａｙ＿ｐｒｅｓｅｎｔが１０（２進数）である場合、Ｍｕｌｔｉ＿Ｄｉｓｐｌａｙ＿ＭＡＳＫ｛１５…０｝で「１」となっているビットに対応するＶＩＣを求める。Ｍｕｌｔｉ＿ｄｉｓｐｌａｙ＿ｐｒｅｓｅｎｔが０１（２進数）である場合、ＥＤＩＤのＶｉｄｅｏ  Ｄａｔａ  Ｂｌｏｃｋを参照し、表示装置２００が対応するＶＩＣを求める。そして、表示能力取得部１０１は、それらのＶＩＣに対応するビデオフォーマットのうち、ＨＤＭＩ送信部１０５がデコード可能な１つのビデオフォーマットを選択する（Ｓ１５０）。選択されたビデオフォーマットはパケット生成部１０４及びＨＤＭＩ送信部１０５に出力される。
【００４３】
そして、パケット生成部１０４は、切り出し領域情報１６０と選択されたビデオフォーマットに基づいて、ＡＶＩ  ＩｎｆｏＦｒａｍｅパケットと特定ＩｎｆｏＦｒａｍｅパケットを含むＩｎｆｏＦｒａｍｅパケット１７０を生成する（Ｓ１６０）。
【００４４】
その後、ＨＤＭＩ送信部１０５は、表示能力取得部１０１において選択されたビデオフォーマットに基づき、切り出し画像１５１をエンコードする。そして、ＨＤＭＩ送信部１０５は、そのエンコードされたビデオ信号に、水平ブランキング期間、垂直ブランキング期間のいずれかにおいて、ＩｎｆｏＦｒａｍｅパケット１７０のデータを重畳する。そして、ＨＤＭＩ送信部１０５は、このようにＩｎｆｏＦｒａｍｅパケット１７０のデータが重畳されたビデオ信号をＨＤＭＩ信号として表示装置２００に出力する（Ｓ１７０）。
【００４５】
一方、表示装置がマルチ画面モードをサポートしていない場合（Ｓ１２０でＮｏ）、表示能力取得部１０１は、ＥＤＩＤのＶｉｄｅｏ  Ｄａｔａ  Ｂｌｏｃｋを参照し、表示装置２００が対応するＶＩＣを求める。そして、表示能力取得部１０１は、それらのＶＩＣに対応するビデオフォーマットのうち、ＨＤＭＩ送信部１０５がデコード可能な１つのビデオフォーマットを選択する（Ｓ１５１）。
【００４６】
そして、パケット生成部１０４は、選択されたビデオフォーマットに基づいて、ＡＶＩ  ＩｎｆｏＦｒａｍｅパケットを生成する（Ｓ１６１）。
【００４７】
その後、差分検出部１０３は、ビデオ信号１５０を何も処理を行わないまま、ＨＤＭＩ送信部１０５に出力し、ＨＤＭＩ送信部１０５は、表示能力取得部において選択されたビデオフォーマットに基づき、ビデオ信号１５０をエンコードする。そして、ＨＤＭＩ送信部１０５は、そのエンコードされたビデオ信号に、水平ブランキング期間、垂直ブランキング期間のいずれかにおいて、ＡＶＩ  ＩｎｆｏＦｒａｍｅパケットのデータを重畳する。そして、ＨＤＭＩ送信部１０５は、このようにＩｎｆｏＦｒａｍｅパケット１７０のデータが重畳されたビデオ信号をＨＤＭＩ信号として表示装置２００に出力する（Ｓ１７１）。
【００４８】
つぎに、本実施形態の表示装置の構成について説明する。図７は本実施形態における表示装置（ＨＤＭＩ  ｖｅｒ．１．３ａ規格では、ＳＩＮＫに相当）の構成をあらわすブロック図である。図７において、表示装置２００は、表示能力送信部２０１と、ＨＤＭＩ受信部２０２と、パケット解析部２０３と、画像復元部２０４と、記憶部２０５と、表示部２０６とで構成されている。
【００４９】
表示能力送信部２０１は、表示能力取得部１０１からのリクエストに従い、図３に示されたＥＤＩＤを出力装置１００に送信する。なお、このＥＤＩＤは、工場出荷時に予め表示装置２００に設定されている。
【００５０】
ＨＤＭＩ受信部２０２は、ＨＤＭＩ入力信号を切り出し画像１５１と、ＨＤＭＩ入力信号のブランキング期間に重畳されたＩｎｆｏＦｒａｍｅパケット１７０に分離し、ＩｎｆｏＦｒａｍｅパケット１７０をパケット解析部２０３へ、切り出し画像１５１を画像復元部２０４へ出力する。
【００５１】
パケット解析部２０３は、ＩｎｆｏＦｒａｍｅパケット１７０から、切り出し領域情報１６０を得る。また、パケット解析部２０３は、ＩｎｆｏＦｒａｍｅパケット１７０中のＡＶＩ  ＩｎｆｏＦｒａｍｅパケットから、切り出し画像１５１に係るビデオフォーマット１８０を得る。パケット解析部２０３は、これらの情報を画像復元部２０４へ出力する。
【００５２】
画像復元部２０４は、記憶部２０５が保持している１フレーム前のビデオ信号１５０と、切り出し画像１５１と、切り出し領域情報１６０とを参照して、切り出し領域情報１６０に応じた領域のみが更新されたビデオ信号を生成し、生成したビデオ信号を記憶部２０５に出力する。画像復元部２０４の詳細な動作は後述する。
【００５３】
記憶部２０５は、画像復元部２０４から出力されたビデオ信号を一時記憶し、表示部２０６に映像を表示させる。
【００５４】
つぎに、本実施形態の表示装置２００の動作について説明する。図８は、表示装置２００の動作の流れを示したフローチャートである。まず、表示能力送信部２０１は、表示能力取得部１０１からのリクエストに従い、ＥＤＩＤを出力装置１００に送信する（Ｓ２１０）。
【００５５】
そして、ＨＤＭＩ受信部２０２は、ＨＤＭＩ信号を、出力装置１００から受信し、受信したＨＤＭＩ信号から切り出し画像１５１と、ＩｎｆｏＦｒａｍｅパケット１７０に分離し、ＩｎｆｏＦｒａｍｅパケット１７０をパケット解析部２０３へ、切り出し画像１５１を画像復元部２０４へ出力する（Ｓ２２０）。
【００５６】
つぎに、パケット解析部２０３は、ＩｎｆｏＦｒａｍｅパケット１７０から、切り出し領域情報１６０を得る。具体的には、ＡＶＩ  ＩｎｆｏＦｒａｍｅパケットから切り出し画像の水平画素数Ａ、垂直画素数Ｂを得て、特定ＩｎｆｏＦｒａｍｅパケットから切り出し画像の切り出し位置（ｘ，ｙ）を得る。また、パケット解析部２０３は、ＡＶＩ  ＩｎｆｏＦｒａｍｅパケットから、切り出し画像１５１に係るビデオフォーマット１８０を得る。パケット解析部２０３は、これらの情報を画像復元部２０４へ出力する（Ｓ２３０）。
【００５７】
その後、画像復元部２０４は、ビデオフォーマット１８０を参照して、表示部２０６が表示可能なビデオ信号に変換する。そして、画像復元部２０４は、事前に記憶部２０５が保持している１フレーム前のビデオ信号１５０に対して、位置（ｘ，ｙ）を左上隅とする水平画素数Ａ、垂直画素数Ｂの画像を、切り出し画像１５１の画像で置き換える。それから、画像復元部２０４は、切り出し領域情報１６０に応じた領域のみが更新されたビデオ信号１５０を生成し、生成したビデオ信号を記憶部２０５に出力する（Ｓ２４０）。
【００５８】
そして、表示部２０６は、記憶部２０５に記憶されたビデオ信号１５０を表示する（Ｓ２５０）。
【００５９】
つぎに、本実施形態の効果について説明する。本実施形態に係る表示装置２００は、非常に多くの水平及び垂直の画素数を持つような高精細の表示部２０６を有する場合であっても、出力装置１００が１フレーム前のビデオ信号と現在のフレームのビデオ信号との差分のみを送信すればよいので、伝送ケーブル上で伝送されるデータレートを上げることなく高解像度の表示部２０６への信号伝送を可能にする。したがって、本実施形態は、高解像度ビデオ映像に係る信号伝送を、伝送ケーブルのデータ伝送レートの上限を超えない伝送レートで実現することができる。
【００６０】
また、本実施形態では、既存のＩｎｆｏＦｒａｍｅ、ＥＤＩＤの枠組みを最大限活用することによって、ビデオデータ構造を表現する上で必要となる切り出し領域情報の追加を最小限にとどめた。これにより、ＥＤＩＤやＩｎｆｏＦｒａｍｅ内のデータを容量制限内に抑えて、ＨＤＭＩによって、高解像度ビデオ映像に対応したビデオ信号の伝送を実現することができる。
【００６１】
さらに、Ｍｕｌｔｉ＿Ｄｉｓｐｌａｙ＿ＭＡＳＫを活用することによって、表示装置２００において「マルチ画面モード」を使用しない通常の伝送形態で使用されるＶＩＣのうち、一部のＶＩＣに限って表示装置２００が「マルチ画面モードをサポートする」場合であっても、ＨＤＭＩによって、「マルチ画面モード」によりビデオ信号の転送を実現できる。
【００６２】
なお、切り出し領域情報として記述する切り出し画像の左上隅の位置を、画素単位で（ｘ，ｙ）のように表すことを前提に説明したが、切り出し画像１５１の大きさが常に同じ（Ａ，Ｂ）であることを前提とすれば、以下のように表すこともできる。切り出し画像が切り出される位置が図９のように、１フレームの画像の左上隅を基準に、（ｉ×Ａ、ｊ×Ｂ）（ｉ，ｊは０以上の整数）の位置を左上隅として切り出し画像を切り出すとすれば、（ｘ、ｙ、Ａ、Ｂ）の代わりに、（ｉｘ、ｉｙ，Ａ，Ｂ）（但し、ｘ＝ｉｘ×Ａ、ｙ＝ｉｙ×Ｂとなる）を切り出し領域情報とすることもできる。この場合、１フレームの画像の右端、下端に位置する切り出し画像は、表示装置２００に表示されない領域を一部に含むことがある。このような場合、当該切り出し画像の表示装置２００に表示されない領域を黒などの特定色でパディングして、切り出し画像の大きさを一定とするとよい。なお、表示装置２００のＥＤＩＤのＭｕｌｔｉ＿Ｄｉｓｐｌａｙ＿Ｈｏｒｉｚｏｎｔａｌ＿Ｓｉｚｅ｛１５…０｝とＭｕｌｔｉ＿Ｄｉｓｐｌａｙ＿Ｖｅｒｔｉｃａｌ＿Ｓｉｚｅ｛１５…０｝から、出力装置１００は、表示装置２１０の水平画素数Ｗ及び垂直画素数Ｈを取得することができる。したがって、出力装置１００は、ｉｘ×Ａ≧Ｗとなる最小のｉｘを、ｉｘの最大値とし、ｉｙ×Ｂ≧Ｗとなる最小のｉｙを、ｉｙの最大値とすることができる。
【００６３】
また、ＨＤＭＩ送信部１０５が生成するＨＤＭＩ信号は、クロックの連続性を一般に必要とする。そのため、１フレーム前のフレームと現在のフレームとの差がなく、更新する映像領域がないときであっても、ＨＤＭＩ信号の連続性を保つために、出力装置１００は、一定時間毎に何らかのＨＤＭＩ信号を出力する必要がある。この一定時間は、ＴＭＤＳのクロック信号の周波数に依存する。この場合、例えば、出力装置１００は、現在のフレームのどこかの領域を切り出し画像１５１として切り出して、その切り出し画像１５１に係るＨＤＭＩ信号を送信するとよい。あるいは、出力装置１００は、切り出し画像１５１としてダミー画像を生成し、切り出し領域情報１６０の（ｘ，ｙ）の値を特別な値（例えば、ビデオ信号１５０の水平サイズ、垂直サイズよりも大きな値：このサイズは前述のような切り出し画像の大きさを基準とした値でもよいし、画素数を基準とした値でもよい。）に設定したＨＤＭＩ信号を送信し、表示装置２００はそのようなＨＤＭＩ信号を無視するとよい。このようにすると、ＨＤＣＰ再認証の必要性が低減されるという効果がある。ＨＤＣＰ再認証は映像が途切れた場合や、映像サイズなどが変わったときに起こる。本実施形態では、更新する映像領域がないときであっても、デジタルビデオ出力信号を一定時間毎に出力するから、映像が途切れないのである。
【００６４】
（第２の実施形態）
図１０は本発明の第２の実施形態における出力装置の構成をあらわすブロック図である。図１０を参照すると、出力装置１１０は、表示能力取得部１０１と、ビデオ信号生成部１０２と、差分検出部１１３と、パケット生成部１１４と、ＨＤＭＩ送信部１１５により構成されている。このうち、第１の実施形態と同じ動作を行う構成要素は、図１と同じ符号を付しており、説明を省略する。
【００６５】
本実施形態では、出力装置１１０において、差分検出部１１３が１枚の切り出し画像１５１の水平・垂直のサイズではなく複数の切り出し画像として領域を検出した場合に、出力装置１１０は、１フレームについて複数の切り出し画像を送信する。加えて、図１４にて後述する表示装置２１０がどのタイミングで１フレームの画像を復元して表示するかを記述した待ちフレーム情報１９０も切り出し領域情報１６０に加えて送信する。これにより、切り出し画像のサイズを変更することなく、出力装置１１０は、ビデオ信号１５０を、表示装置２１０に対し、送信することができる。
【００６６】
差分検出部１１３は、ビデオ信号１５０中の１フレーム前の全体画像と、現在のフレームの全体画像との差分を検出する。そして、差分検出部１１３が１枚の切り出し画像の水平・垂直のサイズではなく複数の切り出し画像として領域を検出した場合に、複数の切り出し画像を切り出す。そして、差分検出部１１３は、それぞれの切り出し画像をＨＤＭＩ送信部１１５へ出力する。例えば、差分検出部１１３は、図１１Ａのようにビデオ信号１５０を得て、図１１Ａ中の１５１〜１５４の領域について差分があったとする。このとき、１５１〜１５４それぞれを切り出し画像１５１〜１５４としてＨＤＭＩ送信部１１５へ出力する。
【００６７】
ここで、切り出し画像１５１〜１５４の水平サイズ、垂直サイズが、図１１ＢのようにそれぞれＡ画素、Ｂ画素だったとする。そして、切り出し画像１５１〜１５４それぞれの左上隅が、図１１Ａ中の（ｉｘ１，ｉｙ１）〜（ｉｘ４，ｉｙ４）であるとする。なお、ここでの（ｉｘ１，ｉｙ１）〜（ｉｘ４，ｉｙ４）は、画素単位の大きさではなく、図９に示されるような切り出し画像の水平サイズＡ、垂直サイズＢを基準の大きさとした値である。このような場合、差分検出部１１３は、（ｉｘ１，ｉｙ１，Ａ，Ｂ）〜（ｉｘ４，ｉｙ４，Ａ，Ｂ）を、切り出し画像１５１〜１５４に対応する切り出し領域情報１６０として、パケット生成部１１４に出力する。
【００６８】
これに加えて、差分検出部１１３は、その画像データが受信から表示までに何フレーム待ってから出力すべきかの待ちフレーム情報１９０をパケット生成部１１４に出力する。図１１Ｂの例において、切り出し画像１５１、１５２、１５３、１５４の順に、ＨＤＭＩ送信部に出力する場合、待ちフレーム数をそれぞれ３、２、１、０とする。
【００６９】
パケット生成部１１４は、切り出し領域情報１６０に加えて、待ちフレーム情報１９０を加えたＩｎｆｏＦｒａｍｅパケット１７１を生成する。待ちフレーム情報１９０は、第１の実施形態にて説明した特定ＩｎｆｏＦｒａｍｅパケットに記述される。詳細については図１２にて後述する。
【００７０】
ＨＤＭＩ送信部１１５は、切り出し画像１５１〜１５４のビデオ信号のブランキング期間中に、切り出し画像１５１〜１５４それぞれに対応する切り出し領域情報１６０、待ちフレーム情報１９０を含んだＩｎｆｏＦｒａｍｅパケット１７１を重畳する。そして、ＨＤＭＩ送信部１１５は、このようにＩｎｆｏＦｒａｍｅパケット１７１のデータが重畳されたビデオ信号をＨＤＭＩ信号として表示装置２１０に送信する。
【００７１】
図１２は、本実施形態に係るＩｎｆｏＦｒａｍｅパケット１７１のうち、特定ＩｎｆｏＦｒａｍｅパケットのデータフォーマットを示す。図１２の最上行０…７は、各バイトのビット番号を表す。また、図１２の最左列０…Ｎは、バイト番号を表す。図１２におけるＰＢ４までに格納する値は、図５と同じであるため、説明を省略する。
【００７２】
ＣｕｒｒｅｎｔＴｉｍｅは、基準時刻（表示装置２１０は、当該ＩｎｆｏＦｒａｍｅパケット１７１が受信すると、自らの時計を基準時刻に合わせる）と、当該ＩｎｆｏＦｒａｍｅパケット１７１に対応する切り出し画像を表示する時刻（表示時刻）の２種類が格納される。この時刻は、例えば、時、分、秒、ミリ秒をそれぞれ２バイトのテキストで表したデータを連接したものであるとよい。この場合、ＣｕｒｒｅｎｔＴｉｍｅが必要とするバイト数は１６バイトとなり、図１４のＰＢ５以降に１６バイトのデータとして記述される。なお、上述した時刻の標記方法は一例であって、この方法に限られない。また、ＣｕｒｒｅｎｔＴｉｍｅは、他の独立したＩｎｆｏＦｒａｍｅパケットに有っても構わない。
【００７３】
Ｏｆｆｓｅｔは、待ちフレーム情報１９０を表す１バイトの情報である。待ちフレーム情報１９０は、ＶＩＣのフレーム周波数でカウントして何フレーム後に出力するかを指定する。Ｏｆｆｓｅｔの値が０であれば、即座に出力することを意味する。なお、上述のＣｕｒｒｅｎｔＴｉｍｅにおいて基準時刻と表示時刻が記述された場合、表示装置２１０は、切り出し画像を表示するタイミングを決定することができる。したがって、この場合、Ｏｆｆｓｅｔの記述は省略されてもよい。逆に、Ｏｆｆｓｅｔが記述された場合でも、表示装置２１０は、切り出し画像を表示するタイミングを決定することができる。したがって、この場合、ＣｕｒｒｅｎｔＴｉｍｅの記述は省略されてもよい。
【００７４】
Ｘｐｏｓｉｔｉｏｎは、図５のＸｐｏｓｉｔｉｏｎ｛１５…０｝とは異なり、図９に示されるような切り出し画像の水平画素数Ａの大きさを１単位とした４ビットの値である。Ｙｐｏｓｉｔｉｏｎも、図５のＹｐｏｓｉｔｉｏｎ｛１５…０｝とは異なり、図９に示されるような切り出し画像の垂直画素数Ｂの大きさを１単位とした４ビットの値である。なお、Ａ、Ｂの値は、ＡＶＩ  ＩｎｆｏＦｒａｍｅによって記述される水平画素数、垂直画素数によって定められる（詳細は、非特許文献２を参照）。
【００７５】
つぎに、本実施形態の出力装置１１０の動作について説明する。図１３は、出力装置１１０の動作の流れを示したフローチャートである。図１３では、第１の実施形態と同じ動作については、図６と同じ符号を付しており、説明は省略する。
【００７６】
表示能力取得部が切り出し画像の水平画素数Ａ、垂直画素数Ｂを取得した（Ｓ１３０）後、差分検出部１１３は、ビデオ信号１５０のフレーム間差分領域を検出し、当該差分領域を含む切り出し画像１５１〜１５４を生成する。そして、差分検出部１０３は、切り出し画像１５１〜１５４をＨＤＭＩ送信部１１５に出力する。また、差分検出部１１３は、切り出し画像１５１〜１５４に対応する切り出し領域情報１６０と待ちフレーム情報１９０を生成し、生成した情報をパケット生成部１０４に出力する（Ｓ１４５）。
【００７７】
つぎに、表示能力取得部１０１によりビデオフォーマットが選択される（Ｓ１５０）と、パケット生成部１０４は、切り出し領域情報１６０と、待ちフレーム情報１９０と、選択されたビデオフォーマットとに基づいて、ＡＶＩ  ＩｎｆｏＦｒａｍｅパケットと特定ＩｎｆｏＦｒａｍｅパケットを含むＩｎｆｏＦｒａｍｅパケット１７１を生成する（Ｓ１６５）。以降の動作は、第１の実施形態と同じである。
【００７８】
つぎに、本実施形態の表示装置の構成について説明する。図１４は本実施形態における表示装置の構成をあらわすブロック図である。図７において、表示装置２００は、表示能力送信部２０１と、ＨＤＭＩ受信部２０２と、パケット解析部２１３と、画像復元部２１４と、記憶部２０５と、表示部２０６とで構成されている。このうち、第１の実施形態と同じ動作を行う構成要素は、図７と同じ符号を付しており、説明を省略する。
【００７９】
パケット解析部２１３は、ＩｎｆｏＦｒａｍｅパケット１７１から、切り出し領域情報１６０と切り出し画像に係るビデオフォーマット１８０を得る。さらに、パケット解析部２１３は、ＩｎｆｏＦｒａｍｅパケット１７１中の特定ＩｎｆｏＦｒａｍｅパケットから待ちフレーム情報１９０を得る。パケット解析部２１３は、これらの情報を画像復元部２１４へ出力する。
【００８０】
画像復元部２１４は、切り出し画像１５１〜１５４とビデオ信号１５０を合成する。特に、画像復元部２１４は、待ちフレーム情報１９０に記載の値だけのフレーム数を待ってから、記憶部２０５に出力することを特徴とする。
【００８１】
つぎに、本実施形態の表示装置２１０の動作について説明する。図１５は、表示装置２１０の動作の流れを示したフローチャートである。図１５では、第１の実施形態と同じ動作については、図８と同じ符号を付しており、説明は省略する。
【００８２】
ＨＤＭＩ受信部２０２がＩｎｆｏＦｒａｍｅパケット１７１をパケット解析部２１３へ出力すると（Ｓ２２０）、パケット解析部２１３は、ＩｎｆｏＦｒａｍｅパケット１７１から、切り出し領域情報１６０、ビデオフォーマットを得る。また、パケット解析部２１３は、特定ＩｎｆｏＦｒａｍｅパケットのＯｆｆｓｅｔを参照し、待ちフレーム情報１９０を得る。パケット解析部２１３は、これらの情報を画像復元部２１４へ出力する（Ｓ２３５）。
【００８３】
その後、画像復元部２１４は、ビデオフォーマット１８０を参照して、表示部２０６が表示可能なビデオ信号に変換する。そして、画像復元部２１４は、事前に記憶部２０５が保持している１フレーム前のビデオ信号１５０に対して、切り出し画像の画像で置き換える。その際、待ちフレーム情報のＯｆｆｓｅｔ値が０になるまで、ビデオ信号１５０を更新せず、切り出し画像の画像で置き換え続ける。Ｏｆｆｓｅｔ値が０になると、画像復元部２１４は、切り出し領域情報１６０に応じた領域のみが更新されたビデオ信号１５０を生成し、生成したビデオ信号を記憶部２０５に出力する（Ｓ２４５）。以降の動作は、第１の実施形態と同じである。
【００８４】
つぎに、本実施形態の効果について説明する。図１１Ａ、１１Ｂの例に示したように、本実施形態の出力装置１１０は、表示装置２１０が切り出し画像１５１〜１５４の全てを受信して初めて、１フレーム分の画像を生成するように、切り出し画像１５１〜１５４のそれぞれについて異なる待ちフレーム数の待ちフレーム情報１９０を生成する。これによって、切り出し画像のサイズ変更をすることなしに、複数の領域を同時に更新することが可能となる。切り出し画像のサイズを変更しないことは、ＨＤＭＩ信号伝送路上のクロックの値に変動が生じないということになる。上述したように、ＨＤＣＰ再認証は映像が途切れた場合や、映像サイズなどが変わったときに起こる。したがって、一般にＨＤＭＩ伝送路上で使われることの多いＨＤＣＰ暗号化方式との組み合わせにおいて再認証の必要性がなくなるという利点を有する。
【００８５】
また、本実施形態によって、現在のＶＩＣとして定義されていないビデオフォーマットである、水平画素数又は垂直画素数の非常に多い画像を表示する巨大画面を有した表示装置２１０であっても、出力装置１１０が、このような画像を、水平画素数及び垂直画素数の少ない小画像に分割して、この小画像を数フレームに分けて送信することによって、ＨＤＭＩ上で送信することが可能になる。例えば、６４００×５４００ｉの画像を表示する表示装置２１０に対し、１２８０×１０８０ｉの小画像を２５回に分けて送信することによって、出力装置１１０が、表示装置２１０に対し、ＨＤＭＩにより画像伝送を行うことができる。つぎに、出力装置１１０は、待ちフレーム数を２４とした最初の小画像に関するＨＤＭＩ信号を送信し、順に待ちフレーム数を１つずつ減じた別の小画像に係るＨＤＭＩ信号を送信し、待ちフレーム数を０とした最後の小画像に係るＨＤＭＩ信号を送信する。
【００８６】
なお、このような小画像の大きさ、分割の仕方は、表示装置２１０毎に個別に定められる。したがって、１５０００×１００００ｉの画像を表示できる表示装置２１０が、水平方向に５分割及び垂直方向に５分割した３０００×２０００ｉの画像を対応していても、水平方向に１０分割及び垂直方向に１０分割した１５００×１０００ｉの画像には対応していないことがある。また、同じ解像度の画像を表示できる表示装置２１０が、前述した１５００×１０００ｉの画像、前述した３０００×２０００ｉの画像のいずれにも対応していることもある。
【００８７】
なお、第１の実施形態、第２の実施形態共に、出力装置が切り出し領域情報１６０の値を変えずに、切り出し画像１５１の大きさの動画像を送ることで、表示装置は、画面の一部の切り出し画像１５１の領域のみに、動画像を表示することも可能である。
【００８８】
（第３の実施形態）
第１、第２の実施形態では、伝送ケーブルのデータレートを上げることなく、高解像度のビデオ送信を実現するために、フレーム間の差分をビデオ信号として送信するビデオ信号の出力装置、表示装置について説明した。第３の実施形態では、３次元映像に関するビデオ信号の出力装置、表示装置について説明する。３次元映像に関するビデオ信号とは、左目用、右目用の２つのビデオ信号を、１フレームのビデオ信号として結合したビデオ信号をいう。
【００８９】
以下に、本発明の第３の実施形態について、図面を参照しながら説明する。図１６は、本発明の第３の実施形態における出力装置の構成をあらわすブロック図である。図１６を参照すると、出力装置１２０は、表示能力取得部１２１と、ビデオ信号生成部１２２と、パケット生成部１２４と、ＨＤＭＩ送信部１２５により構成されている。
【００９０】
表示能力取得部１２１は、図２４において後述する表示装置２２０からＥＤＩＤを取得する。このＥＤＩＤは、表示装置２２０がサポートするビデオフォーマット（解像度、フィールドレート、画像、画素のアスペクト比等）以外に、表示装置２００が受信して表示可能な３次元映像のビデオデータ構造（３Ｄフォーマット）が記述されている。このＥＤＩＤの詳細は図２１にて後述する。
【００９１】
ビデオ信号生成部１２２は、左目用、右目用のビデオ信号１５８を生成し、結合ビデオ信号生成部１２３へ出力する。
【００９２】
結合ビデオ信号生成部１２３は、左目用、右目用のビデオ信号１５８から、１フレームのビデオ信号に双方のビデオデータを含む結合ビデオ信号１５９を生成する。結合ビデオ信号１５９の３Ｄフォーマットには、図１７〜図２０に示される４つのフォーマット（これらのフォーマットの詳細については後述）がある。結合ビデオ信号生成部１２３は、表示能力取得部１２１が取得したＥＤＩＤに基づき、表示装置２００が受信して表示可能な１つの３Ｄフォーマットを選択し、そのフォーマットに基づき、結合ビデオ信号１５９を生成する。そして、結合ビデオ信号生成部１２３は、結合ビデオ信号１５９をＨＤＭＩ送信部１２５に出力する。また、結合ビデオ信号生成部１２３は、結合ビデオ信号１５９を生成する上で使用した３Ｄフォーマットを、構造情報１６９としてパケット生成部１２４に出力する。
【００９３】
図１７は、前述した３Ｄフォーマットの一例である、プログレッシブ画像に係るフレームパッキング構造を説明するための図である。図１７の左側は、もとの左目用、または右目用のビデオ信号１５８に係るデジタルビデオ信号の一例である。この信号は、図４の信号と同様、ＩｎｆｏＦｒａｍｅパケットを送信するために空けた水平ブランキング期間、垂直ブランキング期間と、残りのビデオデータ期間から構成されている。また、ビデオデータ期間において送信される画像データの水平画素数をＡ、垂直画素数（垂直ライン数）をＢとする。ここで、左側のビデオ信号において、水平画素数Ａに水平ブランキング期間の画素数を加えたものを２Ｄ水平総画素数とする。また、垂直ライン数Ｂに垂直ブランキング期間のライン数を加えたものを２Ｄ垂直総ライン数とする。
【００９４】
図１７の右側は、図１７の左側の２つのビデオ信号を結合したフレームパッキング構造によるビデオ信号を示す。フレームパッキング構造は、片目用のビデオ信号に比べ、総ライン数を２倍に増やしたものである。この場合、ＨＤＭＩ送信部１２５は、左目用画像データである左画像データを送信した後、一定のスペースを送信し、左目用画像データである右画像データを送信する。左画像データと右画像データの間のスペースのライン数は、垂直ブランキング期間のライン数と同じである。したがって、右側のビデオ信号において、ビデオデータ期間のライン数に垂直ブランキング期間のライン数を加えた３Ｄ垂直総ライン数は、２Ｄ垂直総ライン数の２倍である。また、右側のビデオ信号において、水平画素数Ａに水平ブランキング期間の画素数を加えた３Ｄ水平総画素数は、２Ｄ水平総画素数と等しい。
【００９５】
図１８は、前述した３Ｄフォーマットの別の一例である、インタレース画像に係るフレームパッキング構造を説明するための図である。図１８の左側は、もとの左目用、または右目用のビデオ信号１５８に係るデジタルビデオ信号の一例である。この信号では、奇数フィールドデータと偶数フィールドデータのライン数が図１７の画像データの半分のＢ／２となる。また、図１８の左側において２箇所に示された垂直ブランキング期間はほぼ同じライン数Ｐ１、Ｐ２から構成されるが、これらのライン数は、図１７に示された垂直ブランキング期間のライン数と必ずしも一致しない。
【００９６】
図１８の右側は、図１８の左側の２つのビデオ信号を結合したフレームパッキング構造によるビデオ信号を示す。フレームパッキング構造は、片目用のビデオ信号に比べ、総ライン数を２倍に増やしたものである。この場合、ＨＤＭＩ送信部１２５は、左目用画像データの一部である左奇数フィールドデータを送信した後、一定のスペースを送信し、左偶数フィールドデータを送信する。その後、ＨＤＭＩ送信部１２５は、一定のスペースを送信し、右目用画像についても同様に、右奇数フィールドデータ、スペース、右偶数フィールドデータを送信する。左奇数フィールドデータと左偶数フィールドデータとの間のスペースのライン数と、右奇数フィールドデータと右偶数フィールドデータとの間のスペースのライン数はＰ２である。左偶数フィールドデータと右奇数フィールドデータとの間のスペースのライン数はＰ１である。したがって、右側のビデオ信号において、ビデオデータ期間のライン数に垂直ブランキング期間のライン数Ｐ１を加えた３Ｄ垂直総ライン数は、２Ｄ垂直総ライン数の２倍である。また、右側のビデオ信号において、水平画素数Ａに水平ブランキング期間の画素数を加えた３Ｄ水平総画素数は、２Ｄ水平総画素数と等しい。
【００９７】
図１９は、前述した３Ｄフォーマットの別の一例である、Ｓｉｄｅ−ｂｙ−Ｓｉｄｅ構造を説明するための図である。図１９の左側は、もとの左目用、または右目用のビデオ信号１５８に係るデジタルビデオ信号の一例であり、図１７の左側の信号と同じである。図１９の右側は、図１９の左側の２つのビデオ信号を結合したＳｉｄｅ−ｂｙ−Ｓｉｄｅ構造によるビデオ信号を示す。Ｓｉｄｅ−ｂｙ−Ｓｉｄｅ構造は、左画像データと右画像データとを水平方向に結合したものである。左画像データと右画像データは、片目用のビデオ信号に比べ、水平方向の解像度が半分になるようにサブサンプリングされている。したがって、それぞれの画像データの水平画素数は、Ａ／２である。この場合、図１９の左側と右側のビデオ信号において、水平ブランキング期間の画素数、垂直ブランキング期間のライン数、水平総画素数、垂直総ライン数は、等しい。
【００９８】
図２０は、前述した３Ｄフォーマットの別の一例である、Ｔｏｐ−ａｎｄ−Ｂｏｔｔｏｍ構造を説明するための図である。図２０の左側は、もとの左目用、または右目用のビデオ信号１５８に係るデジタルビデオ信号の一例であり、図１７の左側の信号と同じである。図２０の右側は、図２０の左側の２つのビデオ信号を結合したＴｏｐ−ａｎｄ−Ｂｏｔｔｏｍ構造によるビデオ信号を示す。Ｔｏｐ−ａｎｄ−Ｂｏｔｔｏｍ構造は、左画像データと右画像データとを垂直方向に結合したものである。左画像データと右画像データは、片目用のビデオ信号に比べ、垂直方向の解像度が半分になるように標本化されている。したがって、それぞれの画像データの垂直画素数（垂直ライン数）は、Ｂ／２である。この場合、図２０の左側と右側のビデオ信号において、水平ブランキング期間の画素数、垂直ブランキング期間のライン数、水平総画素数、垂直総ライン数は、等しい。
【００９９】
パケット生成部１２４は、結合ビデオ信号生成部１２３が出力する構造情報１６９を、ＨＤＭＩ信号の帰線期間中に伝送されるＩｎｆｏＦｒａｍｅパケット１７９に変換して、ＨＤＭＩ送信部１２５へ出力する。ＩｎｆｏＦｒａｍｅパケット１７９は、第１、第２の実施形態における特定ＩｎｆｏＦｒａｍｅパケットとは異なる特定ＩｎｆｏＦｒａｍｅパケットを含むものであって、詳細については図２１にて後述する。
【０１００】
ＨＤＭＩ送信部１２５は、結合ビデオ信号生成部１２３からの結合ビデオ信号１５９と、パケット生成部１２４からのＩｎｆｏＦｒａｍｅパケット１７９とから、図４のようなＨＤＭＩ信号を生成する。そして、ＨＤＭＩ送信部１２５は、生成したＨＤＭＩ信号を、ＴＭＤＳチャンネルから送信する。
【０１０１】
なお、ＨＤＭＩ送信部１２５は、表示能力取得部１２１が取得したＥＤＩＤが「表示装置２２０が、３次元映像に関するＨＤＭＩ信号を受信して表示することが可能である場合（以下、説明の便宜上、このような場合を「３Ｄモードをサポートする場合」と呼ぶこととし、当該３次元映像の表示方法を「３Ｄモード」と呼ぶこととする。）に限り、当該ＨＤＭＩ信号を表示装置２２０に送信する。
【０１０２】
図２１は、本実施形態に係るＥＤＩＤのＨＤＭＩベンダー用拡張部分に係るデータフォーマットを示す。図２１の最上行０…７は、各バイトのビット番号を表す。また、図２１の最左列０…Ｎは、バイト番号を表す。図２１における８バイト目のＨＤＭＩ＿Ｖｉｄｅｏ＿ｐｒｅｓｅｎｔを除き、１２バイト目までに格納する値は、ＨＤＭＩ  ｖｅｒ．１．３ａ規格に基づき定められた値であり、詳細な説明は非特許文献１にて開示されているため、本実施形態での説明は省略する。
【０１０３】
ＨＤＭＩ＿Ｖｉｄｅｏ＿ｐｒｅｓｅｎｔは、図２１の１３バイト目以降の拡張フィールドを使用するか否かが記述される１ビットの値である。本実施形態においては、ＨＤＭＩ＿Ｖｉｄｅｏ＿ｐｒｅｓｅｎｔは１となる。
【０１０４】
図２１の１３バイト目の３Ｄ＿ｐｒｅｓｅｎｔは、表示装置２２０は３Ｄモードをサポートするか否かを表す１ビットの値が格納される。この値が０である場合、表示装置２２０は３Ｄモードをサポートしない。また、この値が１である場合、表示装置２２０は、３Ｄモードをサポートし、かつ、３次元映像用の所定のビデオフォーマットをサポートする。
【０１０５】
図２１の１３バイト目の３Ｄ＿Ｍｕｌｔｉ＿ｐｒｅｓｅｎｔは、２バイトの値が格納される。その値が００、０１、１０、１１（いずれも２進数）である場合、以下の内容を示す。
００：表示装置２２０がサポートするビデオフォーマット及び３Ｄフォーマットは、所定の形式（３ＤＳｔｒｕｃｔｕｒｅＡＬＬまたは３ＤＭＡＳＫ）によって、１５バイト目以降で記述されない
０１：表示装置２２０がサポートする３Ｄフォーマットは、所定の形式（３ＤＳｔｒｕｃｔｕｒｅＡＬＬ）によって、１５バイト目以降で記述される
１０：表示装置２２０がサポートするビデオフォーマット及び３Ｄフォーマットは、所定の形式（３ＤＳｔｒｕｃｔｕｒｅＡＬＬ及び３ＤＭＡＳＫ）によって、１５バイト目以降で記述される
１１：予約
【０１０６】
図２１の１４バイト目のＨＤＭＩ＿３Ｄ＿ＬＥＮは、後述する３ＤＳｔｒｕｃｔｕｒｅＡＬＬ＿｛１５…０｝、３ＤＭＡＳＫ＿｛１５…０｝、２ＤＶＩＣＯｒｄｅｒ＿ｉ（ｉは１からＬまでの整数）から構成されるデータのバイト数を特定する５ビットの値である。Ｌの大きさは、ＨＤＭＩ＿３Ｄ＿ＬＥＮにより特定されるバイト数により定められる。
【０１０７】
３ＤＳｔｒｕｃｔｕｒｅＡＬＬ＿｛１５…０｝は、下記のビットの値が１であるとき、以下の内容を表す。
３ＤＳｔｒｕｃｔｕｒｅＡＬＬ＿０：表示装置２２０は、フレームパッキング構造によるビデオ信号をサポートする。
３ＤＳｔｒｕｃｔｕｒｅＡＬＬ＿６：表示装置２２０は、Ｔｏｐ−ａｎｄ−Ｂｏｔｔｏｍ構造によるビデオ信号をサポートする。
３ＤＳｔｒｕｃｔｕｒｅＡＬＬ＿１５：表示装置２２０は、Ｓｉｄｅ−ｂｙ−Ｓｉｄｅ構造によるビデオ信号をサポートする。
３ＤＳｔｒｕｃｔｕｒｅＡＬＬ＿１〜５、７〜１４：予約
【０１０８】
３ＤＭＡＳＫ＿ｊ（ｊは、０から１５までの整数）は、それぞれのビットの値が１であるとき、表示装置２２０は、ＥＤＩＤのＶｉｄｅｏ  Ｄａｔａ  Ｂｌｏｃｋでｊ番目に記述されたＶＩＣに対応するビデオフォーマットをサポートする。
【０１０９】
ここで、３Ｄ＿Ｍｕｌｔｉ＿ｐｒｅｓｅｎｔが０１（２進数）である場合、表示装置２２０は、ＥＤＩＤのＶｉｄｅｏ  Ｄａｔａ  Ｂｌｏｃｋで記述された全てのＶＩＣに対応するビデオフォーマットについて、３ＤＳｔｒｕｃｔｕｒｅＡＬＬ＿｛１５…０｝において１であったビットに対応する３Ｄフォーマットをサポートする。また、３Ｄ＿Ｍｕｌｔｉ＿ｐｒｅｓｅｎｔが１０（２進数）である場合、表示装置２２０は、３ＤＭＡＳＫ＿｛１５…０｝において１であったビットに対応するビデオフォーマットと、３ＤＳｔｒｕｃｔｕｒｅＡＬＬ＿｛１５…０｝で１であったビットに対応する３Ｄフォーマットとの組み合わせをサポートする。
【０１１０】
２ＤＶＩＣＯｒｄｅｒ＿ｉ（ｉは１からＬまでの整数）は、表示装置２２０が３次元映像表示用としてサポートするＶＩＣを特定する４ビットの値である。例えば、００００（２進数）は、ＥＤＩＤのＶｉｄｅｏ  Ｄａｔａ  Ｂｌｏｃｋで１番目に記述されたＶＩＣに対応し、１１１１（２進数）は、１６番目に記述されたＶＩＣに対応する。
【０１１１】
２ＤＶＩＣＯｒｄｅｒ＿ｉ（ｉは１からＬまでの整数）は、表示装置２２０が３次元映像表示用としてサポートするＶＩＣを特定する４ビットの値である。例えば、００００（２進数）は、ＥＤＩＤのＶｉｄｅｏ  Ｄａｔａ  Ｂｌｏｃｋで１番目に記述されたＶＩＣに対応し、１１１１（２進数）は、１６番目に記述されたＶＩＣに対応する。
【０１１２】
３ＤＳｔｒｕｃｔｕｒｅ＿ｉ（ｉは１からＬまでの整数）は、表示装置２２０が３次元映像表示用としてサポートする３Ｄフォーマットを特定する４ビットの値である。この値が００００〜１１１１（いずれも２進数）である場合、以下の構造を示す。
００００：フレームパッキング
０１１０：Ｔｏｐ−ａｎｄ−Ｂｏｔｔｏｍ
１０００：Ｓｉｄｅ−ｂｙ−Ｓｉｄｅ
０００１〜０１０１、１００１〜１１１１：予約
【０１１３】
３ＤＤｅｔａｉｌ＿ｉ（ｉは１からＬまでの整数）は、３ＤＳｔｒｕｃｔｕｒｅ＿ｉ（ｉは１からＬまでの整数）が１０００以上であるとき、３次元画像用の表示パラメータを規定する４ビットの値である。この値が００００〜１１１１（いずれも２進数）である場合、以下の構造を示す。
００００：特別な処理を行わない
０００１：水平方向のサブサンプリングを行う
０００１〜１１１１：予約
【０１１４】
なお、３ＤＤｅｔａｉｌ＿ｉ（ｉは１からＬまでの整数）の後の４ビットのＲｅｓｅｒｖｅｄ（０）は、３ＤＳｔｒｕｃｔｕｒｅ＿ｉ（ｉは１からＬまでの整数）が１０００以上である場合に限り、００００（２進数）が格納される。
【０１１５】
つぎに、ＩｎｆｏＦｒａｍｅパケット１７９の詳細について説明する。図２２は、本実施形態に係るＩｎｆｏＦｒａｍｅパケット１７９のうち、特定ＩｎｆｏＦｒａｍｅパケットのデータフォーマットを示す。図２２の最上行０…７は、各バイトのビット番号を表す。また、図２２の最左列０…Ｎは、バイト番号を表す。図２２におけるＰＢ３までに格納する値は、ＨＤＭＩ  ｖｅｒ．１．３ａ規格に基づき定められた値であり、詳細は非特許文献１及び非特許文献２にて開示されているため、本実施形態での説明は省略する。
【０１１６】
ＨＤＭＩ＿Ｖｉｄｅｏ＿Ｆｏｒｍａｔは、ビデオフォーマット以外のビデオデータ構造をサポートするか否かを規定する値であり、特定の値（２進数で０１０など）である場合、表示装置２２０が「３Ｄモードをサポートする」ことを示す。Ｒｅｓｅｒｖｅｄ（０）は、拡張用に予約されたビットを表し、０が記述される。
【０１１７】
３ＤＳｔｒｕｃｔｕｒｅは、ＨＤＭＩ信号のビデオデータ期間に送信される３Ｄフォーマットを特定する４ビットの値である。この値は、図２１中の３ＤＳｔｒｕｃｔｕｒｅ＿ｉ（ｉは１からＬまでの整数）と同じである。
【０１１８】
つぎに、本実施形態の出力装置１２０の動作について説明する。図２３は、出力装置１２０の動作の流れを示したフローチャートである。まず、ビデオ信号生成部１２２は、左右ビデオ信号１５８を生成する（Ｓ３１０）。
【０１１９】
つぎに、表示能力取得部１２１は、表示装置２２０からＥＤＩＤを取得し、ＥＤＩＤのＨＤＭＩ＿Ｖｉｄｅｏ＿ｐｒｅｓｅｎｔ及び３Ｄ＿ｐｒｅｓｅｎｔを参照する。そして、表示能力取得部１２１は、表示装置２００が３Ｄモードをサポートするか否かを判定する（Ｓ３２０）。具体的には、ＨＤＭＩ＿Ｖｉｄｅｏ＿ｐｒｅｓｅｎｔが１でかつ、３Ｄ＿ｐｒｅｓｅｎｔが１であれば、表示能力取得部１２１は、表示装置２２０が３Ｄモードをサポートする（Ｓ３２０でＹｅｓ）と判定する。そうでなければ、表示能力取得部１２１は、表示装置２２０が３Ｄモードをサポートしない（Ｓ３２０でＮｏ）と判定する。
【０１２０】
表示装置が３Ｄモードをサポートする場合（Ｓ３２０でＹｅｓ）、表示能力取得部１２１は、３Ｄ＿Ｍｕｌｔｉ＿ｐｒｅｓｅｎｔの値を確認する。そして、３Ｄ＿Ｍｕｌｔｉ＿ｐｒｅｓｅｎｔが０１か１０（いずれも２進数）であれば、表示能力取得部１２１は、３ＤＳｔｒｕｃｔｕｒｅＡＬＬ＿｛１５…０｝を参照し、表示装置がサポートする３Ｄフォーマットを取得する。また、３Ｄ＿Ｍｕｌｔｉ＿ｐｒｅｓｅｎｔがそれ以外の値であれば、表示能力取得部１２１は、３ＤＳｔｒｕｃｔｕｒｅ＿ｉ（ｉは１からＬまでの整数）を参照し、表示装置がサポートする３Ｄフォーマットを取得する。そして、表示能力取得部１２１は、出力装置１２０が出力する１つの３Ｄフォーマットを選択する（Ｓ３３０）。選択された３Ｄフォーマットは、結合ビデオ信号生成部１２３に出力される。
【０１２１】
つぎに、表示能力取得部１２１は、３Ｄ＿Ｍｕｌｔｉ＿ｐｒｅｓｅｎｔが１０（２進数）である場合、３ＤＭＡＳＫ＿｛１５…０｝で「１」となっているビットに対応するＶＩＣを求める。３Ｄ＿Ｍｕｌｔｉ＿ｐｒｅｓｅｎｔが０１（２進数）である場合、ＥＤＩＤのＶｉｄｅｏ  Ｄａｔａ  Ｂｌｏｃｋを参照し、表示装置２００が対応するＶＩＣを求める。３Ｄ＿Ｍｕｌｔｉ＿ｐｒｅｓｅｎｔが００か１１（いずれも２進数）である場合、表示能力取得部１２１は、ステップＳ３３０で選択した３ＤＳｔｒｕｃｔｕｒｅ＿ｉ（ｉは１からＬまでの整数）に対応する２ＤＶＩＣＯｒｄｅｒ＿ｉに対応するＶＩＣを求める。そして、表示能力取得部１２１は、それらのＶＩＣに対応するビデオフォーマットのうち、ＨＤＭＩ送信部１２５がデコード可能な１つのビデオフォーマットを選択する（Ｓ３４０）。選択されたビデオフォーマットは結合ビデオ信号生成部１２３及びパケット生成部１２４に出力される。
【０１２２】
その後、結合ビデオ信号生成部１２３は、表示能力取得部１２１において選択された３Ｄフォーマット及びビデオフォーマットに基づき、左右ビデオ信号１５８から結合ビデオ信号１５９を生成する。さらに、結合ビデオ信号生成部１２３は、結合ビデオ信号１５９をＨＤＭＩ送信部１２５に出力する（Ｓ３５０）。また、結合ビデオ信号生成部１２３は、結合ビデオ信号１５９の３Ｄフォーマットを構造情報１６９としてパケット生成部１２４に出力する。
【０１２３】
そして、パケット生成部１２４は、構造情報１６９と選択されたビデオフォーマットに基づいて、ＡＶＩ  ＩｎｆｏＦｒａｍｅパケットと特定ＩｎｆｏＦｒａｍｅパケットを含むＩｎｆｏＦｒａｍｅパケット１７９を生成する（Ｓ３６０）。
【０１２４】
その後、ＨＤＭＩ送信部１２５は、結合ビデオ信号生成部１２３により生成された結合ビデオ信号１５９に、水平ブランキング期間、垂直ブランキング期間のいずれかにおいて、ＩｎｆｏＦｒａｍｅパケット１７９のデータを重畳する。そして、ＨＤＭＩ送信部１２５は、このようにＩｎｆｏＦｒａｍｅパケット１７９のデータが重畳されたビデオ信号をＨＤＭＩ信号として表示装置２２０に出力する（Ｓ３７０）。
【０１２５】
一方、表示装置が３Ｄモードをサポートしていない場合（Ｓ３２０でＮｏ）、表示能力取得部１２１は、ＥＤＩＤのＶｉｄｅｏ  Ｄａｔａ  Ｂｌｏｃｋを参照し、表示装置２２０が対応するＶＩＣを求める。そして、表示能力取得部１２１は、それらのＶＩＣに対応するビデオフォーマットのうち、ＨＤＭＩ送信部１０５がデコード可能な１つのビデオフォーマットを選択する（Ｓ３４１）。
【０１２６】
そして、パケット生成部１２４は、選択されたビデオフォーマットに基づいて、ＡＶＩ  ＩｎｆｏＦｒａｍｅパケットを生成する（Ｓ３６１）。
【０１２７】
その後、結合ビデオ信号生成部１２３は、左右ビデオ信号１５８を何も処理を行わないまま、ＨＤＭＩ送信部１２５に出力し、ＨＤＭＩ送信部１２５は、表示能力取得部１２１において選択されたビデオフォーマットに基づき、左右ビデオ信号１５８のうち片方のビデオ信号をエンコードする。そして、ＨＤＭＩ送信部１２５は、そのエンコードされたビデオ信号に、水平ブランキング期間、垂直ブランキング期間のいずれかにおいて、ＡＶＩ  ＩｎｆｏＦｒａｍｅパケットのデータを重畳する。そして、ＨＤＭＩ送信部１２５は、このようにＩｎｆｏＦｒａｍｅパケットのデータが重畳されたビデオ信号をＨＤＭＩ信号として表示装置２２０に出力する（Ｓ３７１）。
【０１２８】
つぎに、本実施形態の表示装置の構成について説明する。図２４は本実施形態における表示装置の構成をあらわすブロック図である。図２４において、表示装置２２０は、表示能力送信部２２１と、ＨＤＭＩ受信部２２２と、パケット解析部２２３と、画像復元部２２４と、記憶部２０５と、表示部２２６とで構成されている。
【０１２９】
表示能力送信部２２１は、表示能力取得部１０１からのリクエストに従い、図２１に示されたＥＤＩＤを出力装置１２０に送信する。なお、このＥＤＩＤは、工場出荷時に予め表示装置２２０に設定されている。
【０１３０】
ＨＤＭＩ受信部２２２は、ＨＤＭＩ入力信号を結合ビデオ信号１５９と、ＩｎｆｏＦｒａｍｅパケット１７９に分離し、ＩｎｆｏＦｒａｍｅパケット１７９をパケット解析部２２３へ、結合ビデオ信号１５９を画像復元部２２４へ出力する。
【０１３１】
パケット解析部２２３は、ＩｎｆｏＦｒａｍｅパケット１７９から、構造情報１６９を得る。また、パケット解析部２２３は、ＩｎｆｏＦｒａｍｅパケット１７９中のＡＶＩ  ＩｎｆｏＦｒａｍｅパケットから、結合ビデオ信号１５９に係るビデオフォーマット１８０を得る。パケット解析部２２３は、これらの情報を画像復元部２２４へ出力する。
【０１３２】
画像復元部２２４は、構造情報１６９を参照して、結合ビデオ信号１５９から左右ビデオ信号１５８を生成し、生成したビデオ信号を記憶部２０５に出力する。
【０１３３】
記憶部２０５は、画像復元部２２４から出力された左右ビデオ信号１５８を一時記憶し、表示部２２６に３次元映像を表示させる。なお、記憶部２０５は、第１の実施形態の記憶部２０５と同じ動作を行うため、第１の実施形態と同じ符号を付している。
【０１３４】
つぎに、本実施形態の表示装置２２０の動作について説明する。図２５は、表示装置２２０の動作の流れを示したフローチャートである。まず、表示能力送信部２２１は、表示能力取得部１０１からのリクエストに従い、ＥＤＩＤを出力装置１２０に送信する（Ｓ４１０）。
【０１３５】
そして、ＨＤＭＩ受信部２２２は、ＨＤＭＩ信号を、出力装置１２０から受信し、受信したＨＤＭＩ信号から結合ビデオ信号１５９と、ＩｎｆｏＦｒａｍｅパケット１７９に分離し、ＩｎｆｏＦｒａｍｅパケット１７９をパケット解析部２２３へ、結合ビデオ信号１５９を画像復元部２２４へ出力する（Ｓ４２０）。
【０１３６】
つぎに、パケット解析部２２３は、ＩｎｆｏＦｒａｍｅパケット１７９のうち、特定ＩｎｆｏＦｒａｍｅパケットから、結合ビデオ信号１５９の構造情報１６９を得る。また、パケット解析部２２３は、ＡＶＩ  ＩｎｆｏＦｒａｍｅパケットから、結合ビデオ信号１５９のビデオフォーマット１８０を得る。パケット解析部２２３は、これらの情報を画像復元部２２４へ出力する（Ｓ４３０）。
【０１３７】
その後、画像復元部２２４は、構造情報１６９とビデオフォーマット１８０とを参照して、結合ビデオ信号１５９から左右ビデオ信号１５８を得る。具体的には、画像復元部２２４は、結合ビデオ信号１５９に含まれる左右のビデオデータから左ビデオ信号に係るデータと右ビデオ信号に係るデータを得て、ビデオフォーマット１８０をもとに、左右ビデオ信号１５８のビデオフォーマットに変換したビデオ信号を生成する。それから、画像復元部２２４は、生成した左右ビデオ信号１５８を記憶部２０５に出力する（Ｓ４４０）。
【０１３８】
そして、表示部２２６は、記憶部２０５に記憶された左右ビデオ信号１５８を３次元映像として表示する（Ｓ４５０）。
【０１３９】
つぎに、本実施形態の効果について説明する。本実施形態では、既存のＩｎｆｏＦｒａｍｅ、ＥＤＩＤの枠組みを最大限活用することによって、３次元映像を伝送する上で新しく必要となるビデオデータ構造の追加を最小限にとどめた。これにより、ＥＤＩＤ（通常２５６ｂｙｔｅ、拡張でも５１２ｂｙｔｅ）やＩｎｆｏＦｒａｍｅ（２７ｂｙｔｅ）内のデータを容量制限内に抑えて、ＨＤＭＩによって、３次元映像に対応したビデオ信号の伝送を実現することができる。
【０１４０】
なお、３次元映像のためのビデオデータ構造は、本実施形態に述べられたものに限られない。例えば、ビデオデータ構造は、Ｓｉｄｅ−ｂｙ−Ｓｉｄｅで水平方向にサブサンプリングを行わず、３Ｄ水平総画素数が２Ｄ水平総画素数の２倍となったデータ構造であってもよいし、走査線ごとに交互に左右ビデオ信号のデータを含むものであってもよい。また、ビデオデータ構造は、奥行き情報（ｄｅｐｔｈ）やグラフィックス情報を含むものであってもよい。このようなビデオデータ構造は、３ＤＳｔｒｕｃｔｕｒｅＡＬＬ＿｛１５…０｝や３ＤＳｔｒｕｃｔｕｒｅ＿ｉ（ｉは１からＬまでの整数）、３ＤＳｔｒｕｃｔｕｒｅにおいて予約されている領域に定義されるとよい。
【産業上の利用可能性】
【０１４１】
本発明にかかる出力装置は、ＨＤＭＩによりビデオデータを送信するハードディスクレコーダ、ＤＶＤプレイヤ、ブルーレイプレイヤ等に適用可能である。また、本発明に係る表示装置はＨＤＭＩによりビデオデータを受信するテレビ、コンピュータ、ゲーム機、ヘッドマウントディスプレイ等に適用可能である。
【符号の説明】
【０１４２】
１００、１１０、１２０、７００    出力装置
１０１、１２１、７０１    表示能力取得部
１０２、１２２、７０２    ビデオ信号生成部
１０３、１１３    差分検出部
１２３    結合ビデオ信号生成部
１０４、１１４、１２４、７０３    パケット生成部
１０５、１１５、１２５、７０４    ＨＤＭＩ送信部
１５０    ビデオ信号
１５１〜１５４    切り出し画像
１５８    左右ビデオ信号
１５９    結合ビデオ信号
１６０    切り出し領域情報
１６９    構造情報
１７０、１７９    ＩｎｆｏＦｒａｍｅパケット
１８０    ビデオフォーマット
１９０    待ちフレーム情報
２００、２１０、２２０、９００    表示装置
２０１、２２１、９０１    表示能力送信部
２０２、２２２、９０２    ＨＤＭＩ受信部
２０３、２１３、２２３、９０３    パケット解析部
２０４、２１４、２２４    画像復元部
２０５、９０４    記憶部
２０６、２２６、９０５    表示部
８００    伝送ケーブル
【図１】
0005914884.tif 000002
【図２Ａ】
0005914884.tif 000003
【図２Ｂ】
0005914884.tif 000004
【図３】
0005914884.tif 000005
【図４】
0005914884.tif 000006
【図５】
0005914884.tif 000007
【図６】
0005914884.tif 000008
【図７】
0005914884.tif 000009
【図８】
0005914884.tif 000010
【図９】
0005914884.tif 000011
【図１０】
0005914884.tif 000012
【図１１Ａ】
0005914884.tif 000013
【図１１Ｂ】
0005914884.tif 000014
【図１２】
0005914884.tif 000015
【図１３】
0005914884.tif 000016
【図１４】
0005914884.tif 000017
【図１５】
0005914884.tif 000018
【図１６】
0005914884.tif 000019
【図１７】
0005914884.tif 000020
【図１８】
0005914884.tif 000021
【図１９】
0005914884.tif 000022
【図２０】
0005914884.tif 000023
【図２１】
0005914884.tif 000024
【図２２】
0005914884.tif 000025
【図２３】
0005914884.tif 000026
【図２４】
0005914884.tif 000027
【図２５】
0005914884.tif 000028
【図２６】
0005914884.tif 000029